【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
光通信リンクにおける光システムであって、該システムは、
該通信リンクにおいて移動する光信号を配信する少なくとも第一の入力ポートであって、該光信号は複数の波長チャネルを含み、該複数の波長チャネルは光データリンクを介して光情報を伝達するために使用される、第一の入力ポートと、
該複数の波長チャネルを空間的に分離するための分散要素と、
活性光位相要素と、
該分散要素と該光位相要素との間の該空間的に分離されたチャネルを方向付けるための複数の光操作要素と
を備え、該光位相要素は、該通信リンクによって該複数の波長チャネルに付与された信号劣化の影響の十分な補償のために、所定の非干渉的な方法で、該複数の波長チャネルのうちの所定のものの位相を独立して修正する、
光システム。
【請求項２】
前記信号劣化の影響は、必要条件に従って、増幅不均衡、分散、チャネル間の混合効果、位相遅延、または他の線形もしくは非線形の効果を含む、請求項１に記載のシステム。
【請求項３】
前記光位相要素は、前記波長チャネルの前記群遅延を独立して修正する、請求項１に記載のシステム。
【請求項４】
前記光位相要素は、前記波長チャネルの前記分散を独立して修正する、請求項１に記載のシステム。
【請求項５】
前記光位相要素は、前記波長チャネルの前記増幅を独立して修正する、請求項１に記載のシステム。
【請求項６】
前記修正された波長チャネルを追加の分散要素に方向付ける追加の光操作要素をさらに含む、請求項１に記載のシステム。
【請求項７】
前記追加的な分散要素は、光出力信号を形成するために選択された波長チャネルを結合し、前記光出力信号は複数の光出力ポートのうちの一つに方向付けられている、請求項６に記載のシステム。
【請求項８】
光信号に含まれる複数の光チャネルを選択的に補償する方法であって、該光信号は光通信リンクで伝播し、該方法は、
ａ）光波長プロセッサの入力ポートに該光信号を受信するステップと、
ｂ）分散軸に沿って前記光信号の該複数の光チャネルを空間的に分散するステップと、
ｃ）該空間的に分散された複数の光チャネルのうちの所定のものを、光位相操作装置の所定の領域に方向付けるステップであって、該光位相操作装置は複数の独立してアドレス指定可能なピクセル要素を含む、ステップと、
ｄ）複数の補償光チャネルを提供するために、該ピクセル要素への入射光線の位相が、該光通信リンクに蓄積された劣化効果を補償する所定の量だけ修正されるように、該ピクセル要素を、複数の所定の水準のうちの一つに設定するステップと、
ｅ）光出力信号を提供するために該補償された複数の光チャネルを再結合するステップと、
ｆ）出力ポートに該光出力信号を出力するステップと
を含む、方法。
【請求項９】
前記光チャネルの選択された隣接する複数の対の間の、相対群速度の分散の不一致が調整される、請求項８に記載の方法。
【請求項１０】
前記光チャネルの対における該光チャネルのうちの一つの相対位相は、追加の位相シフトを受ける、請求項９に記載の方法。
【請求項１１】
前記群速度の不一致は、実質上ゼロになるよう調整され、前記位相シフトは実質上πラジアンである、請求項１０に記載の方法。
【請求項１２】
前記ピクセル要素は、波長チャネル内で実質上連続し、隣接するチャネルの間で実質上不連続的に該ピクセル要素を調整する能力を提供する、群遅延機能によってアドレス指定される、請求項８に記載の方法。
【請求項１３】
前記次に隣接する光チャネルの選択された対の間の群速度の分散の不一致および位相が調整される、請求項８に記載の方法。
【請求項１４】
前記劣化効果は、色分散、群速度遅延、光非線形性、相互位相変調および自己位相変調のうちの一つ以上を含む、請求項８に記載の方法。
【請求項１５】
前記空間的に分散された光チャネルは、該光チャネルの帯域幅の分光幅未満の大きさで修正される、請求項８に記載の方法。
【請求項１６】
前記ピクセル要素は縦列に空間的に配置され、該ピクセル要素の縦列は、前記光チャネルへ付与された前記補償の位相量子化効果を実質上減少させるために、前記分散軸に対して角度を持つ方向である、請求項８に記載の方法。
【請求項１７】
前記光位相操作装置は、前記伝播の方向が複数の光出力信号を提供するために修正されるように、前記分散軸に対して直角の軸に沿った前記空間的に分散された光チャネルのうちの選択されたものを修正する、請求項８に記載の方法。
【請求項１８】
前記光出力信号は、複数の出力ポートのうちの所定の一つのものへの出力である、請求項１７に記載の方法。
【請求項１９】
複数の独立した波長チャネルを伝送するための光伝送器と、
少なくとも第一および第二の範囲と、
該第一の範囲の後に配置された第一のノードモジュールと
を含み、
該少なくとも第一および第二の範囲の各範囲はそれぞれ、
正の分散係数によって特徴付けられた、少なくとも第一の長さの伝送光ファイバと、
該長さの伝送ファイバの後に配置され、該第一の範囲における該複数の波長チャネルによって蓄積された群速度遅延の大きな割合を実質上補償するために、負の分散係数によって特徴付けられた、少なくとも第一の長さの分散補償する光ファイバと
を含み、
該第一のノードモジュールは、
光増幅モジュールと、
位相操作モジュールと
を含み、
該位相操作モジュールは、
ａ．該第一の範囲に蓄積された該複数の波長チャネルの分散を実質上補償し、
ｂ．第一および第二の波長チャネルの選択された対における、残余の蓄積された群遅延を実質上補償し、
ｃ．該第一のリンクに生成された該選択された対のチャネルの間の混信が、第二のリンクにおいて少なくとも部分的に補償されるように、該選択された対の該第二の波長チャネルの位相を修正する、光伝送システム。
【請求項２０】
複数の独立した波長チャネルを伝送するための光伝送器と、
第一の所定の分散係数によって特徴付けられた、少なくとも第一および第二の長さの伝送光ファイバと、
該伝送光ファイバのそれぞれの長さにおける該波長チャネルによって蓄積された群速度遅延の大きな割合を実質上補償するために、第二の所定の分散係数によって特徴付けられた、少なくとも第一および第二の長さの分散補償光ファイバであって、該第一の長さの分散補償ファイバは該第一の長さの伝送ファイバの後に配置され、該第二の長さの分散補償ファイバは該第二の長さの伝送ファイバの後に配置されている、分散補償光ファイバと、
該第一の長さの分散補償ファイバと該第二の長さの伝送ファイバとの間に置かれた第一のノードモジュールであって、該第一の長さの伝送ファイバの該波長チャネルによって蓄積された色分散を実質上補償し、該第一および第二の波長チャネルの選択された対における蓄積された残余の群遅延を実質上補償し、該第二のチャネルの該修正された位相が、該選択された対における該第一の波長チャネルと実質上位相が不一致となるように、該選択された対における該第二の波長チャネルの該位相を修正するように構成されている位相操作モジュールを含む、第一のノードモジュールと、
該第二の長さの分散補償するファイバの後に配置された第二のノードモジュールであって、光増幅するモジュールと、該波長チャネルのすべての該修正された位相が実質上同相であるように、第三および第四の波長チャネルの選択された対において蓄積された残余の群遅延を実質上補償するため、および該波長チャネルの該位相を修正するための位相操作モジュールとを含む、第二のノードモジュールと
を含む、光伝送システム